(57)【要約】  本願の実施例は、リソース割り当て指示、受信方法および装置を開示する。当該方法は、基地局が、少なくとも部分帯域幅（ＢＷＰ）の帯域幅情報を含む活性化ＢＷＰメッセージを指示するための第１指示情報を送信することと、当該基地局が、異なるＢＷＰ帯域幅にそれぞれ対応する複数の第１レベルのリソースブロックサイズ（ＲＢＧ  ｓｉｚｅ）をグループ毎に含む１グループまたは複数グループの第１レベルのＲＢＧ  ｓｉｚｅを指示するための第２指示情報を送信することと、を含み、第１レベルのＲＢＧ  ｓｉｚｅと異なる当該ＢＷＰ帯域幅との間には対応関係が存在する。
2021503827.tif 000002
【特許請求の範囲】
【請求項１】
基地局が、少なくとも部分帯域幅ＢＷＰ帯域幅情報を含む活性化ＢＷＰメッセージを指示するための第１指示情報を送信することと、
前記基地局が、異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を送信することと、を含み、
前記第１レベルのＲＢＧ  ｓｉｚｅと異なる前記ＢＷＰ帯域幅との間には対応関係が存在する、リソース割り当て指示方法。
【請求項２】
前記対応関係は、前記第１レベルのＲＢＧ  ｓｉｚｅの値が前記ＢＷＰ帯域幅範囲と正比例することを含む、請求項１に記載の方法。
【請求項３】
前記対応関係は、
前記第１レベルのＲＢＧ  ｓｉｚｅの値が、１、２、３、４、６、８、１０、１１、１２、１６のうちの少なくとも１つを含み、
前記第１レベルのＲＢＧ  ｓｉｚｅが１である場合、活性化ＢＷＰの帯域幅範囲は３１、２６、２２のうちの１つの数値以下のリソースブロックＲＢであり、
前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、
前記第１レベルのＲＢＧ  ｓｉｚｅが３である場合、活性化ＢＷＰの帯域幅範囲は４５〜６６個のＲＢであり、
前記第１レベルのＲＢＧ  ｓｉｚｅが４である場合、活性化ＢＷＰの帯域幅範囲は６３〜１２４個のＲＢであり、または６７〜１３２個のＲＢであり、
前記第１レベルのＲＢＧ  ｓｉｚｅが６である場合、活性化ＢＷＰの帯域幅範囲は１２５〜１７６個のＲＢであり、または６７〜１３２個のＲＢであり、
前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、
前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、
前記第１レベルのＲＢＧ  ｓｉｚｅが１１である場合、活性化ＢＷＰの帯域幅範囲は２４９〜２７５個のＲＢであり、
前記第１レベルのＲＢＧ  ｓｉｚｅが１２である場合、活性化ＢＷＰの帯域幅範囲は１３３〜２４０個のＲＢであり、
前記第１レベルのＲＢＧ  ｓｉｚｅが１６である場合、活性化ＢＷＰの帯域幅範囲は２４１〜２７５個のＲＢであることを含む、請求項１に記載の方法。
【請求項４】
前記基地局が、前記活性化ＢＷＰから一部の活性化ＢＷＰを選択することを指示するための第３指示情報を送信することと、
前記基地局が、リソース割り当てを指示するための第４指示情報を送信することと、をさらに含み、
異なる活性化ＢＷＰの前記第４指示情報に必要なビット数は固定値である、請求項１に記載の方法。
【請求項５】
前記基地局が、第２レベルのＲＢＧ  ｓｉｚｅを指示するための第５指示情報を送信することをさらに含む、請求項１に記載の方法。
【請求項６】
前記第４指示情報に必要なビット数は、
2021503827.tif 000045
、または、
2021503827.tif 000046
で特定される、請求項４に記載の方法。
（Ｇは第１レベルのＲＢＧ  ｓｉｚｅで、
2021503827.tif 000047
はｉ個目の活性化ＢＷＰの帯域幅で、ｎは活性化ＢＷＰの数で、ｉおよびｎは整数で、Ｐは第２レベルのＲＢＧ  ｓｉｚｅであり、
2021503827.tif 000048
が１２以下である場合、前記第２レベルのＲＢＧ  ｓｉｚｅの値は１であり、
2021503827.tif 000049
が１２以外の他の値である場合、前記第２レベルのＲＢＧ  ｓｉｚｅの値は２である。）
【請求項７】
前記基地局が、異なるリソース割り当て粒度を示す複数グループのＲＢＧ  ｓｉｚｅのうちの１グループのＲＢＧ  ｓｉｚｅの選択を指示するための第６指示情報を送信することをさらに含む、請求項１に記載の方法。
【請求項８】
異なる前記ＢＷＰ帯域幅において、前記第４指示情報に必要なビット数における有効ビットは近似する、請求項１または４に記載の方法。
【請求項９】
前記基地局は、端末の業務特性、端末の負荷状況、端末の能力状況、チャネル環境のうちの少なくとも一方の情報に基づいて、前記一部の活性化ＢＷＰを選択する、請求項４に記載の方法。
【請求項１０】
前記基地局は、無線リソース制御ＲＲＣメッセージによって、前記第１指示情報、前記第２指示情報、前記第５指示情報、第６指示情報のうちの少なくとも一方の情報を送信する、請求項１、５または７に記載の方法。
【請求項１１】
前記基地局は、下り制御情報ＤＣＩメッセージによって、前記第３指示情報および／または前記第４指示情報を送信する、請求項４に記載の方法。
【請求項１２】
端末が、基地局から送信された情報であって、少なくとも部分帯域幅ＢＷＰ帯域幅情報を含む活性化ＢＷＰメッセージを指示するための第１指示情報を受信することと、
前記端末が、前記基地局から送信された情報であって、異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を受信することと、を含み、
前記第１レベルのＲＢＧ  ｓｉｚｅと異なる前記ＢＷＰ帯域幅との間には対応関係が存在する、リソース割り当て指示受信方法。
【請求項１３】
前記対応関係は、前記第１レベルのＲＢＧ  ｓｉｚｅの値が前記ＢＷＰ帯域幅範囲と正比例することを含む、請求項１２に記載の方法。
【請求項１４】
前記対応関係は、前記第１レベルのＲＢＧ  ｓｉｚｅの値が、１、２、３、４、６、８、１０、１１、１２、１６のうちの少なくとも１つを含み、
前記第１レベルのＲＢＧ  ｓｉｚｅが１である場合、活性化ＢＷＰの帯域幅範囲は３１、２６、２２のうちの１つの数値以下のリソースブロックＲＢであり、
前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、
前記第１レベルのＲＢＧ  ｓｉｚｅが３である場合、活性化ＢＷＰの帯域幅範囲は４５〜６６個のＲＢであり、
前記第１レベルのＲＢＧ  ｓｉｚｅが４である場合、活性化ＢＷＰの帯域幅範囲は６３〜１２４個のＲＢであり、または６７〜１３２個のＲＢであり、
前記第１レベルのＲＢＧ  ｓｉｚｅが６である場合、活性化ＢＷＰの帯域幅範囲は１２５〜１７６個のＲＢであり、または６７〜１３２個のＲＢであり、
前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、
前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、
前記第１レベルのＲＢＧ  ｓｉｚｅが１１である場合、活性化ＢＷＰの帯域幅範囲は２４９〜２７５個のＲＢであり、
前記第１レベルのＲＢＧ  ｓｉｚｅが１２である場合、活性化ＢＷＰの帯域幅範囲は１３３〜２４０個のＲＢであり、
前記第１レベルのＲＢＧ  ｓｉｚｅが１６である場合、活性化ＢＷＰの帯域幅範囲は２４１〜２７５個のＲＢであることを含む、請求項１２に記載の方法。
【請求項１５】
前記端末が、前記基地局から送信された情報であって、前記活性化ＢＷＰから一部の活性化ＢＷＰを選択することを指示するための第３指示情報を受信することと、
前記端末が、前記基地局から送信された情報であって、リソース割り当てを指示するための第４指示情報を受信することと、をさらに含み、
異なる活性化ＢＷＰの前記第４指示情報に必要なビット数は固定値である、請求項１２に記載の方法。
【請求項１６】
前記端末が、前記基地局から送信された情報であって、第２レベルのＲＢＧ  ｓｉｚｅを指示するための第５指示情報を受信することをさらに含む、請求項１２に記載の方法。
【請求項１７】
前記第４指示情報に必要なビット数は、
2021503827.tif 000050
、または、
2021503827.tif 000051
で特定される、請求項１５に記載の方法。
（Ｇは第１レベルのＲＢＧ  ｓｉｚｅで、
2021503827.tif 000052
はｉ個目の活性化ＢＷＰの帯域幅で、ｎは活性化ＢＷＰの数で、ｉおよびｎは整数で、Ｐは第２レベルのＲＢＧ  ｓｉｚｅであり、
2021503827.tif 000053
が１２以下である場合、前記第２レベルのＲＢＧ  ｓｉｚｅの値は１であり、
2021503827.tif 000054
が１２以外の他の値である場合、前記第２レベルのＲＢＧ  ｓｉｚｅの値は２である。）
【請求項１８】
前記端末が、前記基地局から送信された情報であって、異なるリソース割り当て粒度を示す複数グループのＲＢＧ  ｓｉｚｅのうちの１グループのＲＢＧ  ｓｉｚｅの選択を指示するための第６指示情報を受信することをさらに含む、請求項１２に記載の方法。
【請求項１９】
異なる前記ＢＷＰ帯域幅において、前記第４指示情報に必要なビット数における有効ビットは近似する、請求項１２または１５に記載の方法。
【請求項２０】
基地局に応用されるリソース割り当て指示装置であって、
少なくとも部分帯域幅ＢＷＰ帯域幅情報を含む活性化ＢＷＰメッセージを指示するための第１指示情報を送信するように構成された第１送信モジュールと、
異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を送信するように構成された第２送信モジュールと、を備え、
前記第１レベルのＲＢＧ  ｓｉｚｅと異なる前記ＢＷＰ帯域幅との間には対応関係が存在する、リソース割り当て指示装置。
【請求項２１】
前記対応関係は、前記第１レベルのＲＢＧ  ｓｉｚｅの値が前記ＢＷＰ帯域幅範囲と正比例することを含む、請求項２０に記載の装置。
【請求項２２】
前記対応関係が、前記第１レベルのＲＢＧ  ｓｉｚｅの値が、１、２、３、４、６、８、１０、１１、１２、１６のうちの少なくとも１つを含み、
前記第１レベルのＲＢＧ  ｓｉｚｅが１である場合、活性化ＢＷＰの帯域幅範囲は３１、２６、２２のうちの１つの数値以下のＲＢであり、
前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、
前記第１レベルのＲＢＧ  ｓｉｚｅが３である場合、活性化ＢＷＰの帯域幅範囲は４５〜６６個のＲＢであり、
前記第１レベルのＲＢＧ  ｓｉｚｅが４である場合、活性化ＢＷＰの帯域幅範囲は６３〜１２４個のＲＢであり、または６７〜１３２個のＲＢであり、
前記第１レベルのＲＢＧ  ｓｉｚｅが６である場合、活性化ＢＷＰの帯域幅範囲は１２５〜１７６個のＲＢであり、または６７〜１３２個のＲＢであり、
前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、
前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、
前記第１レベルのＲＢＧ  ｓｉｚｅが１１である場合、活性化ＢＷＰの帯域幅範囲は２４９〜２７５個のＲＢであり、
前記第１レベルのＲＢＧ  ｓｉｚｅが１２である場合、活性化ＢＷＰの帯域幅範囲は１３３〜２４０個のＲＢであり、
前記第１レベルのＲＢＧ  ｓｉｚｅが１６である場合、活性化ＢＷＰの帯域幅範囲は２４１〜２７５個のＲＢであることを含む、請求項２０に記載の装置。
【請求項２３】
ユーザ機器ＵＥに応用されるリソース割り当て指示受信装置であって、
基地局から送信された情報であって、少なくとも部分帯域幅ＢＷＰ帯域幅情報を含む活性化ＢＷＰメッセージを指示するための第１指示情報を受信するように構成された第１受信モジュールと、
基地局から送信された情報であって、異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を受信するように構成された第２受信モジュールと、を備え、
前記第１レベルのＲＢＧ  ｓｉｚｅと異なる前記ＢＷＰ帯域幅との間には対応関係が存在する、リソース割り当て指示受信装置。
【請求項２４】
前記対応関係は、前記第１レベルのＲＢＧ  ｓｉｚｅの値が前記ＢＷＰ帯域幅範囲と正比例することを含む、請求項２３に記載の装置。
【請求項２５】
前記対応関係が、前記第１レベルのＲＢＧ  ｓｉｚｅの値が、１、２、３、４、６、８、１０、１１、１２、１６のうちの少なくとも１つを含み、
前記第１レベルのＲＢＧ  ｓｉｚｅが１である場合、活性化ＢＷＰの帯域幅範囲は３１、２６、２２のうちの１つの数値以下のＲＢであり、
前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、
前記第１レベルのＲＢＧ  ｓｉｚｅが３である場合、活性化ＢＷＰの帯域幅範囲は４５〜６６個のＲＢであり、
前記第１レベルのＲＢＧ  ｓｉｚｅが４である場合、活性化ＢＷＰの帯域幅範囲は６３〜１２４個のＲＢであり、または６７〜１３２個のＲＢであり、
前記第１レベルのＲＢＧ  ｓｉｚｅが６である場合、活性化ＢＷＰの帯域幅範囲は１２５〜１７６個のＲＢであり、または６７〜１３２個のＲＢであり、
前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、
前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、
前記第１レベルのＲＢＧ  ｓｉｚｅが１１である場合、活性化ＢＷＰの帯域幅範囲は２４９〜２７５個のＲＢであり、
前記第１レベルのＲＢＧ  ｓｉｚｅが１２である場合、活性化ＢＷＰの帯域幅範囲は１３３〜２４０個のＲＢであり、
前記第１レベルのＲＢＧ  ｓｉｚｅが１６である場合、活性化ＢＷＰの帯域幅範囲は２４１〜２７５個のＲＢであることを含む、請求項２３に記載の装置。
【請求項２６】
記憶されたプログラムを含む記憶媒体であって、前記プログラムが実行されると、請求項１乃至１１または請求項１２乃至１９のうちのいずれか１項に記載の方法を実行する、記憶媒体。
【請求項２７】
プログラムを実行するためのプロセッサであって、前記プログラムが実行されると、請求項１乃至１１または請求項１２乃至１９のうちのいずれか１項に記載の方法を実行する、プロセッサ。
【請求項２８】
プロセッサと、前記プロセッサにより実行可能な命令が記憶されたメモリと、を含む基地局であって、前記命令がプロセッサによって実行されると、請求項１乃至１１のうちのいずれか１項に記載の方法のステップを実行する、基地局。
【請求項２９】
プロセッサと、前記プロセッサにより実行可能な命令が記憶されたメモリと、を含む端末であって、前記命令がプロセッサによって実行されると、請求項１２乃至１９のうちのいずれか１項に記載の方法のステップを実行する、端末。
【発明の詳細な説明】
【技術分野】
【０００１】
（関連出願の相互参照）
本願は、出願番号が２０１７１１１４７１８４．４で、出願日が２０１７年１１月１７日である中国特許出願を基礎とした優先権を主張し、当該中国特許出願の全ての内容は参照により本願に取り込まれている。
【０００２】
本願は、通信分野に関し、特に、リソース割り当て指示、受信方法および装置に関する。
【背景技術】
【０００３】
無線通信技術の発展とユーザ通信ニーズの増加に伴い、より高く、より速く、より新しい通信ニーズを満たすため、第５世代モバイル通信（５ｔｈ  Ｇｅｎｅｒａｔｉｏｎ、５Ｇ）技術はすでに今後ネットワーク開発のトレンドになった。
【０００４】
５Ｇ通信システムがより高くより広い周波数帯域（例えば３ＧＨｚ以上）で実施されて、より高いデータレートを完成していると認めている。より大きい帯域幅は端末がサポートする最も大きい帯域幅を超えてしまうおそれがあり、新たな（Ｎｅｗ  ＲＡＴ、ＮＲ）では、部分帯域幅（Ｂａｎｄｗｉｄｔｈ  ｐａｒｔ、ＢＷＰ）を導入してこの問題を解決しており、同時に、現在の標準では異なる帯域幅が異なるリソースブロックグループサイズ（Ｒｅｓｏｕｒｃｅ  Ｂｌｏｃｋ  Ｇｒｏｕｐ  ｓｉｚｅ、ＲＢＧ  ｓｉｚｅ）に対応すべきであるとの結論が通過されたが、表１に示すように、具体的なＲＢＧ  ｓｉｚｅの値は特定されていない。
【０００５】
【表１】
2021503827.tif 000003
【０００６】
異なるＲＢＧ  ｓｉｚｅの値によって異なる下り制御情報（Ｄｏｗｎｌｉｎｋ  Ｃｏｎｔｒｏｌ  Ｉｎｆｏｒｍａｔｉｏｎ、ＤＣＩ）リソース割り当てドメインのサイズが異なり、これにより、ＤＣＩブラインドテストの複雑性を増加してしまう。
【０００７】
既存技術において異なる帯域幅のＢＷＰが異なるサイズのリソース割り当てドメインを用いてＤＣＩブラインドテストの複雑性が高い問題について、有効な解決案を提示していない。
【発明の概要】
【０００８】
本願の実施例において、少なくとも異なる帯域幅のＢＷＰが異なるサイズのリソース割り当てドメインを用いてＤＣＩブラインドテストの複雑性が高い問題を解決するリソース割り当て指示、受信方法および装置を提供する。
【０００９】
本願の実施例の第１態様によると、基地局が、少なくともＢＷＰ帯域幅情報を含む活性化ＢＷＰメッセージを指示するための第１指示情報を送信することと、前記基地局が、異なるＢＷＰ帯域幅にそれぞれ対応する複数の第１レベルのＲＢＧ  ｓｉｚｅをグループ毎に含む１グループまたは複数グループの第１レベルのＲＢＧ  ｓｉｚｅを指示するための第２指示情報を送信することと、を含み、前記第１レベルのＲＢＧ  ｓｉｚｅと異なる前記ＢＷＰ帯域幅との間には対応関係が存在するリソース割り当て指示方法を提供する。
【００１０】
一実施例において、前記対応関係は、前記第１レベルのＲＢＧ  ｓｉｚｅの値が前記ＢＷＰ帯域幅範囲と正比例することを含む。
【００１１】
一実施例において、前記対応関係は、前記第１レベルのＲＢＧ  ｓｉｚｅの値が、１、２、３、４、６、８、１０、１１、１２、１６のうちの少なくとも１つを含み、前記第１レベルのＲＢＧ  ｓｉｚｅが１である場合、活性化ＢＷＰの帯域幅範囲は３１、２６、２２のうちの１つの数値以下のリソースブロック（ＲＢ）であり、前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、前記第１レベルのＲＢＧ  ｓｉｚｅが３である場合、活性化ＢＷＰの帯域幅範囲は４５〜６６個のＲＢであり、前記第１レベルのＲＢＧ  ｓｉｚｅが４である場合、活性化ＢＷＰの帯域幅範囲は６３〜１２４個のＲＢであり、または６７〜１３２個のＲＢであり、前記第１レベルのＲＢＧ  ｓｉｚｅが６である場合、活性化ＢＷＰの帯域幅範囲は１２５〜１７６個のＲＢであり、または６７〜１３２個のＲＢであり、前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、前記第１レベルのＲＢＧ  ｓｉｚｅが１１である場合、活性化ＢＷＰの帯域幅範囲は２４９〜２７５個のＲＢであり、前記第１レベルのＲＢＧ  ｓｉｚｅが１２である場合、活性化ＢＷＰの帯域幅範囲は１３３〜２４０個のＲＢであり、前記第１レベルのＲＢＧ  ｓｉｚｅが１６である場合、活性化ＢＷＰの帯域幅範囲は２４１〜２７５個のＲＢであることを含む。
【００１２】
一実施例において、前記方法は、前記基地局が、前記活性化ＢＷＰから一部の活性化ＢＷＰを選択することを指示するための第３指示情報を送信することと、前記基地局が、リソース割り当てを指示するための第４指示情報を送信することと、をさらに含み、異なる活性化ＢＷＰの前記第４指示情報に必要なビット数は固定値である。
【００１３】
一実施例において、前記方法は、前記基地局が、第２レベルのＲＢＧ  ｓｉｚｅを指示するための第５指示情報を送信することをさらに含む。
【００１４】
一実施例において、前記第４指示情報に必要なビット数は以下の式で特定される。
【００１５】
2021503827.tif 000004
、または、
2021503827.tif 000005
【００１６】
ここで、Ｇは第１レベルのＲＢＧ  ｓｉｚｅで、
2021503827.tif 000006
はｉ個目の活性化ＢＷＰの帯域幅で、ｎは活性化ＢＷＰの数で、ｉおよびｎは整数で、Ｐは第２レベルのＲＢＧ  ｓｉｚｅである。
【００１７】
2021503827.tif 000007
が１２以下である場合、前記第２レベルのＲＢＧ  ｓｉｚｅの値は１であり、
2021503827.tif 000008
が１２以外の他の値である場合、前記第２レベルのＲＢＧ  ｓｉｚｅの値は２である。
【００１８】
一実施例において、前記基地局は、異なるリソース割り当て粒度を示す複数グループのＲＢＧ  ｓｉｚｅのうちの１グループのＲＢＧ  ｓｉｚｅの選択を指示するための第６指示情報を送信する。
【００１９】
一実施例において、異なる前記ＢＷＰ帯域幅において、前記第４指示情報に必要なビット数における有効ビットは近似する。
【００２０】
一実施例において、前記基地局は、端末の業務特性、端末の負荷状況、端末の能力状況、チャネル環境のうちの少なくとも一方の情報に基づいて、前記一部の活性化ＢＷＰを選択する。
【００２１】
一実施例において、前記基地局は、無線リソース制御（Ｒａｄｉｏ  Ｒｅｓｏｕｒｃｅ  Ｃｏｎｔｒｏｌ、ＲＲＣ）メッセージによって、前記第１指示情報、前記第２指示情報、前記第５指示情報、第６指示情報のうちの少なくとも一方の情報を送信する。
【００２２】
一実施例において、前記基地局は、ＤＣＩメッセージによって、前記第３指示情報および／または前記第４指示情報を送信する。
【００２３】
本願の実施例の第２態様によると、端末が、基地局から送信された、少なくともＢＷＰ帯域幅情報を含む活性化ＢＷＰメッセージを指示するための第１指示情報を受信することと、前記端末が、前記基地局から送信された、異なるＢＷＰ帯域幅にそれぞれ対応する複数の第１レベルのＲＢＧ  ｓｉｚｅをグループ毎に含む１グループまたは複数グループの第１レベルのＲＢＧ  ｓｉｚｅを指示するための第２指示情報を受信することと、を含み、前記第１レベルのＲＢＧ  ｓｉｚｅと異なる前記ＢＷＰ帯域幅との間には対応関係が存在するリソース割り当て指示受信方法を提供する。
【００２４】
一実施例において、前記対応関係は、前記第１レベルのＲＢＧ  ｓｉｚｅの値が前記ＢＷＰ帯域幅範囲と正比例することを含む。
【００２５】
一実施例において、前記対応関係は、前記第１レベルのＲＢＧ  ｓｉｚｅの値が、１、２、３、４、６、８、１０、１１、１２、１６のうちの少なくとも１つを含み、前記第１レベルのＲＢＧ  ｓｉｚｅが１である場合、活性化ＢＷＰの帯域幅範囲は３１、２６、２２のうちの１つの数値以下のリソースブロック（ＲＢ）であり、前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、前記第１レベルのＲＢＧ  ｓｉｚｅが３である場合、活性化ＢＷＰの帯域幅範囲は４５〜６６個のＲＢであり、前記第１レベルのＲＢＧ  ｓｉｚｅが４である場合、活性化ＢＷＰの帯域幅範囲は６３〜１２４個のＲＢであり、または６７〜１３２個のＲＢであり、前記第１レベルのＲＢＧ  ｓｉｚｅが６である場合、活性化ＢＷＰの帯域幅範囲は１２５〜１７６個のＲＢであり、または６７〜１３２個のＲＢであり、前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、前記第１レベルのＲＢＧ  ｓｉｚｅが１１である場合、活性化ＢＷＰの帯域幅範囲は２４９〜２７５個のＲＢであり、前記第１レベルのＲＢＧ  ｓｉｚｅが１２である場合、活性化ＢＷＰの帯域幅範囲は１３３〜２４０個のＲＢであり、前記第１レベルのＲＢＧ  ｓｉｚｅが１６である場合、活性化ＢＷＰの帯域幅範囲は２４１〜２７５個のＲＢであることを含む。
【００２６】
一実施例において、前記方法は、前記端末が、前記基地局から送信された、前記活性化ＢＷＰから一部の活性化ＢＷＰを選択することを指示するための第３指示情報を受信することと、前記端末が、前記基地局から送信された、リソース割り当てを指示するための第４指示情報を受信することと、をさらに含み、異なる活性化ＢＷＰの前記第４指示情報に必要なビット数は固定値である。
【００２７】
一実施例において、前記方法は、前記端末が、前記基地局から送信された、第２レベルのＲＢＧ  ｓｉｚｅを指示するための第５指示情報を受信することをさらに含む。
一実施例において、前記第４指示情報に必要なビット数は以下の式で特定される。
【００２８】
2021503827.tif 000009
、または、
2021503827.tif 000010
【００２９】
ここで、Ｇは第１レベルのＲＢＧ  ｓｉｚｅで、
2021503827.tif 000011
はｉ個目の活性化ＢＷＰの帯域幅で、ｎは活性化ＢＷＰの数で、ｉおよびｎは整数で、Ｐは第２レベルのＲＢＧ  ｓｉｚｅである。
【００３０】
2021503827.tif 000012
が１２以下である場合、前記第２レベルのＲＢＧ  ｓｉｚｅの値は１であり、
2021503827.tif 000013
が１２以外の他の値である場合、前記第２レベルのＲＢＧ  ｓｉｚｅの値は２である。
【００３１】
一実施例において、前記方法は、前記端末が、前記基地局から送信された、異なるリソース割り当て粒度を示す複数グループのＲＢＧ  ｓｉｚｅのうちの１グループのＲＢＧ  ｓｉｚｅの選択を指示するための第６指示情報を受信することをさらに含む。
【００３２】
一実施例において、異なる前記ＢＷＰ帯域幅において、前記第４指示情報に必要なビット数における有効ビットは近似する。
【００３３】
本願の実施例の第３態様によると、基地局に応用されるリソース割り当て指示装置であって、少なくともＢＷＰ帯域幅情報を含む活性化ＢＷＰメッセージを指示するための第１指示情報を送信するように構成される第１送信モジュールと、異なるＢＷＰ帯域幅にそれぞれ対応する複数の第１レベルのＲＢＧ  ｓｉｚｅをグループ毎に含む１グループまたは複数グループの第１レベルのＲＢＧ  ｓｉｚｅを指示するための第２指示情報を送信するように構成される第２送信モジュールと、を備え、前記第１レベルのＲＢＧ  ｓｉｚｅと異なる前記ＢＷＰ帯域幅との間には対応関係が存在するリソース割り当て指示装置を提供する。
【００３４】
一実施例において、前記対応関係は、前記第１レベルのＲＢＧ  ｓｉｚｅの値が前記ＢＷＰ帯域幅範囲と正比例することを含む。
【００３５】
一実施例において、前記第１レベルのＲＢＧ  ｓｉｚｅの値が、１、２、３、４、６、８、１０、１１、１２、１６のうちの少なくとも１つを含み、前記対応関係が、前記第１レベルのＲＢＧ  ｓｉｚｅが１である場合、活性化ＢＷＰの帯域幅範囲は３１、２６、２２のうちの１つの数値以下のＲＢであり、前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、前記第１レベルのＲＢＧ  ｓｉｚｅが３である場合、活性化ＢＷＰの帯域幅範囲は４５〜６６個のＲＢであり、前記第１レベルのＲＢＧ  ｓｉｚｅが４である場合、活性化ＢＷＰの帯域幅範囲は６３〜１２４個のＲＢであり、または６７〜１３２個のＲＢであり、前記第１レベルのＲＢＧ  ｓｉｚｅが６である場合、活性化ＢＷＰの帯域幅範囲は１２５〜１７６個のＲＢであり、または６７〜１３２個のＲＢであり、前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、前記第１レベルのＲＢＧ  ｓｉｚｅが１１である場合、活性化ＢＷＰの帯域幅範囲は２４９〜２７５個のＲＢであり、前記第１レベルのＲＢＧ  ｓｉｚｅが１２である場合、活性化ＢＷＰの帯域幅範囲は１３３〜２４０個のＲＢであり、前記第１レベルのＲＢＧ  ｓｉｚｅが１６である場合、活性化ＢＷＰの帯域幅範囲は２４１〜２７５個のＲＢであることを含む。
【００３６】
本願の実施例の第４態様によると、ユーザ機器（Ｕｓｅｒ  Ｅｑｕｉｐｍｅｎｔ、ＵＥ）に応用されるリソース割り当て指示受信装置であって、基地局から送信された、少なくともＢＷＰ帯域幅情報を含む活性化ＢＷＰメッセージを指示するための第１指示情報を受信するように構成される第１受信モジュールと、基地局から送信された、異なるＢＷＰ帯域幅にそれぞれ対応する複数の第１レベルのＲＢＧ  ｓｉｚｅをグループ毎に含む１グループまたは複数グループの第１レベルのＲＢＧ  ｓｉｚｅを指示するための第２指示情報を受信するように構成される第２受信モジュールと、を備え、前記第１レベルのＲＢＧ  ｓｉｚｅと異なる前記ＢＷＰ帯域幅との間には対応関係が存在するリソース割り当て指示受信装置を提供する。
【００３７】
一実施例において、前記対応関係は、前記第１レベルのＲＢＧ  ｓｉｚｅの値が前記ＢＷＰ帯域幅範囲と正比例することを含む。
【００３８】
一実施例において、前記対応関係は、前記第１レベルのＲＢＧ  ｓｉｚｅの値が、１、２、３、４、６、８、１０、１１、１２、１６のうちの少なくとも１つを含み、前記第１レベルのＲＢＧ  ｓｉｚｅが１である場合、活性化ＢＷＰの帯域幅範囲は３１、２６、２２のうちの１つの数値以下のＲＢであり、前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、前記第１レベルのＲＢＧ  ｓｉｚｅが３である場合、活性化ＢＷＰの帯域幅範囲は４５〜６６個のＲＢであり、前記第１レベルのＲＢＧ  ｓｉｚｅが４である場合、活性化ＢＷＰの帯域幅範囲は６３〜１２４個のＲＢであり、または６７〜１３２個のＲＢであり、前記第１レベルのＲＢＧ  ｓｉｚｅが６である場合、活性化ＢＷＰの帯域幅範囲は１２５〜１７６個のＲＢであり、または６７〜１３２個のＲＢであり、前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、前記第１レベルのＲＢＧ  ｓｉｚｅが１１である場合、活性化ＢＷＰの帯域幅範囲は２４９〜２７５個のＲＢであり、前記第１レベルのＲＢＧ  ｓｉｚｅが１２である場合、活性化ＢＷＰの帯域幅範囲は１３３〜２４０個のＲＢであり、前記第１レベルのＲＢＧ  ｓｉｚｅが１６である場合、活性化ＢＷＰの帯域幅範囲は２４１〜２７５個のＲＢであることを含む。
【００３９】
本願の実施例の第５態様によると、記憶されたプログラムを含む記憶媒体であって、前記プログラムが実行されると上述したいずれかの方法を実行する記憶媒体を提供する。
【００４０】
本願の実施例の第６態様によると、プログラムを実行するためのプロセッサであり、前記プログラムが実行されると上述したいずれかの方法を実行するプロセッサを提供する。
【００４１】
本願の実施例の第７態様によると、プロセッサと、前記プロセッサにより実行可能な命令が記憶されたメモリと、を含む基地局であって、前記命令がプロセッサによって実行されると、本願の実施例に係る、基地局に応用される上述したいずれかの前記方法のステップを実行する基地局を提供する。
【００４２】
本願の実施例の第８態様によると、プロセッサと、前記プロセッサにより実行可能な命令が記憶されたメモリと、を含む端末であって、前記命令がプロセッサによって実行されると、本願の実施例に係る、端末に応用される上述したいずれかの前記方法のステップを実行する端末を提供する。
【００４３】
本願の実施例によると、基地局が、少なくともＢＷＰ帯域幅情報を含む活性化ＢＷＰメッセージを指示するための第１指示情報を送信し、当該基地局が、異なるＢＷＰ帯域幅にそれぞれ対応する複数の第１レベルのＲＢＧ  ｓｉｚｅをグループ毎に含む１グループまたは複数グループの第１レベルのＲＢＧ  ｓｉｚｅを指示するための第２指示情報を送信し、当該第１レベルのＲＢＧ  ｓｉｚｅと異なる当該ＢＷＰ帯域幅との間には対応関係が存在する。つまり、帯域幅範囲とＲＢＧ  ｓｉｚｅの値との間の対応関係を設定することで、異なる帯域幅のリソース割り当てドメインにおける有効ビットが近似するように確保して、既存技術において異なる帯域幅のＢＷＰが異なるサイズのリソース割り当てドメインを用いてＤＣＩブラインドテストの複雑性が高い課題を解決し、ＤＣＩメッセージのブラインドテストの複雑性を低減する技術効果を実現する。
【図面の簡単な説明】
【００４４】
ここで説明する図面は本発明を一層理解させるためのもので、本願の一部を構成し、本発明の例示的な実施例およびその説明は本発明を解釈するもので、本発明を限定するものではない。
【図１】本願の実施例に係るリソース割り当て指示方法を示すフローチャートである。
【図２】本願の実施例に係るリソース割り当て指示受信方法を示すフローチャートである。
【図３】本願の実施例に係る好適なリソース割り当て指示方法を示すフローチャート（１）である。
【図４】本願の実施例に係る好適なリソース割り当て指示方法を示すフローチャート（２）である。
【図５】本願の実施例に係る好適なリソース割り当て指示方法を示すフローチャート（３）である。
【図６】本願の実施例に係るリソース割り当て指示装置の構造を示すブロック図である。
【図７】本願の実施例に係るリソース割り当て指示受信装置の構造を示すブロック図である。
【発明を実施するための形態】
【００４５】
以下、図面を参照しつつ実施例と合せて本発明を詳しく説明する。なお、矛盾しない限り、本願における実施例および実施例における特徴を互いに組み合わせることができる。
【００４６】
なお、本発明の明細書と特許請求の範囲および図面に用いられた「第１」、「第２」等の用語は、類似する対象を区別するためのもので、特定の順または前後順を限定するものではない。
【００４７】
本実施例においてリソース割り当て指示方法を提供し、図１は本願の実施例に係るリソース割り当て指示方法を示すフローチャートであり、図１に示すように、そのプロセスは以下のステップＳ１０２、ステップＳ１０４を含む。
【００４８】
ステップＳ１０２において、基地局が第１指示情報を送信し、ここで、上記第１指示情報は活性化ＢＷＰメッセージを指示し、この活性化ＢＷＰメッセージは少なくともＢＷＰ帯域幅情報を含む。
【００４９】
ステップＳ１０４において、基地局が第２指示情報を送信し、ここで、上記第２指示情報は１グループまたは複数グループの第１レベルのＲＢＧ  ｓｉｚｅを指示し、各グループの第１レベルのＲＢＧ  ｓｉｚｅは複数の第１レベルのＲＢＧ  ｓｉｚｅを含み、第１レベルのＲＢＧ  ｓｉｚｅは、それぞれ、異なるＢＷＰ帯域幅に対応する。
【００５０】
ここで、上記第１レベルのＲＢＧ  ｓｉｚｅと異なる当該ＢＷＰ帯域幅との間には対応関係が存在する。
【００５１】
上記ステップＳ１０２乃至ステップＳ１０４によると、帯域幅範囲とＲＢＧ  ｓｉｚｅの値との間の対応関係を設定することで、異なる帯域幅でのリソース割り当てドメインにおける有効ビットが近似するように確保し、既存技術において異なる帯域幅のＢＷＰが異なるサイズのリソース割り当てドメインを用いることによるＤＣＩブラインドテストの複雑性が高い問題を解決し、ＤＣＩメッセージのブラインドテストの複雑性を低減する技術効果を実現する。
【００５２】
または、ステップＳ１０２とステップＳ１０４の実行順を交換することもでき、すなわち、まずステップＳ１０４を実行してからＳ１０２を実行することができる。
【００５３】
本実施例において、リソース割り当て指示受信方法をさらに提供し、図２は本願の実施例に係るリソース割り当て指示受信方法を示すフローチャートであり、図２に示すように、そのプロセスは以下のステップＳ２０２、ステップＳ２０４を含む。
【００５４】
ステップＳ２０２において、端末が、基地局から送信された第１指示情報を受信し、ここで、この第１指示情報は活性化ＢＷＰメッセージを指示し、この活性化ＢＷＰメッセージは少なくともＢＷＰ帯域幅情報を含む。
【００５５】
ステップＳ２０４において、この端末が、この基地局から送信された第２指示情報を受信し、ここで、この第２指示情報は１グループまたは複数グループの第１レベルのＲＢＧ  ｓｉｚｅを指示し、各グループの第１レベルのＲＢＧ  ｓｉｚｅは複数の第１レベルのＲＢＧ  ｓｉｚｅを含み、第１レベルのＲＢＧ  ｓｉｚｅは、それぞれ、異なるＢＷＰ帯域幅に対応し、ここで、この第１レベルのＲＢＧ  ｓｉｚｅと異なるこのＢＷＰ帯域幅との間には対応関係が存在する。
【００５６】
上記ステップＳ２０２乃至ステップＳ２０４によると、基地局から送信された帯域幅範囲とＲＢＧ  ｓｉｚｅの値との間の対応関係を受信することで、異なる帯域幅でのリソース割り当てドメインにおける有効ビットが近似するように確保して、既存技術において異なる帯域幅のＢＷＰが異なるサイズのリソース割り当てドメインを用いることによるＤＣＩブラインドテストの複雑性が高い問題を解決し、ＤＣＩメッセージのブラインドテストの複雑性を低減する技術効果を実現する。
【００５７】
または、ステップＳ２０２とステップＳ２０４の実行順を交換することも可能で、すなわち、まずステップＳ２０４を実行してからＳ２０２を実行することができる。
【００５８】
以下、具体的な実施例と合せて、本実施例を説明する。
【００５９】
好適な実施例１
本好適な実施例において下りリソース割り当ての好適な実施例を提供し、図３に示すように、以下のステップＳ３０１、Ｓ３０２、Ｓ３０３、Ｓ３０４を含む。
【００６０】
Ｓ３０１において、基地局が、第１指示情報と第２指示情報を含むＲＲＣメッセージをＵＥに送信する。
【００６１】
好ましくは、上記第１指示情報は活性化ＢＷＰメッセージを指示し、上記第２指示情報は１グループまたは複数グループの第１レベルのＲＢＧ  ｓｉｚｅを指示する。
【００６２】
好ましくは、上記活性化ＢＷＰメッセージは少なくともＢＷＰ帯域幅情報を含む。例えば、第１指示情報が、端末に四つの活性化ＢＷＰがあることを指示し、四つの活性化ＢＷＰの帯域幅のそれぞれは、５０、１００、２５、２００個のＲＢに対応する。
【００６３】
好ましくは、上記１グループまたは複数グループのＲＢＧ  ｓｉｚｅの値のうち、各グループの第１レベルのＲＢＧ  ｓｉｚｅは複数の第１レベルのＲＢＧ  ｓｉｚｅを含み、第１レベルのＲＢＧ  ｓｉｚｅのそれぞれは異なるＢＷＰ帯域幅に対応する。
【００６４】
好ましくは、上記第１レベルのＲＢＧ  ｓｉｚｅと異なる上記ＢＷＰ帯域幅との対応関係は、第１レベルのＲＢＧ  ｓｉｚｅが数値１、２、３、４、６、８、１０、１１、１２、１６のうちの少なくとも１つを含むことを含む。
【００６５】
第１レベルのＲＢＧ  ｓｉｚｅが１である場合、活性化ＢＷＰの帯域幅範囲は３１個以下のＲＢまたは２６個以下のＲＢ、または、２２個以下のＲＢであり、第１レベルのＲＢＧ  ｓｉｚｅが２である場合、活性化ＢＷＰの帯域幅範囲は３２〜６２個のＲＢまたは２７〜６２個のＲＢまたは２３〜４４個のリソースブロックＲＢであり、第１レベルのＲＢＧ  ｓｉｚｅが３である場合、活性化ＢＷＰの帯域幅範囲は４５〜６６個のＲＢであり、第１レベルのＲＢＧ  ｓｉｚｅが４である場合、活性化ＢＷＰの帯域幅範囲は６３〜１２４個のＲＢまたは６７〜１３２個のＲＢであり、第１レベルのＲＢＧ  ｓｉｚｅが６である場合、活性化ＢＷＰの帯域幅範囲は１２５〜１７６個のＲＢまたは６７〜１３２個のＲＢであり、第１レベルのＲＢＧ  ｓｉｚｅが８である場合、活性化ＢＷＰの帯域幅範囲は１７７〜２４８個のＲＢまたは１２５〜２４８個のＲＢまたは１２５〜２２０個のＲＢまたは１２５〜２２７個のＲＢであり、第１レベルのＲＢＧ  ｓｉｚｅが１０である場合、活性化ＢＷＰの帯域幅範囲は２４９〜２７５個のＲＢまたは２２１〜２７５個のＲＢまたは２２８〜２７５個のＲＢであり、第１レベルのＲＢＧ  ｓｉｚｅが１１である場合、活性化ＢＷＰの帯域幅範囲は２４９〜２７５個のＲＢであり、第１レベルのＲＢＧ  ｓｉｚｅが１２である場合、活性化ＢＷＰの帯域幅範囲は１３３〜２４０個のＲＢであり、第１レベルのＲＢＧ  ｓｉｚｅが１６である場合、活性化ＢＷＰの帯域幅範囲は２４１〜２７５個のＲＢである。
【００６６】
例えば、１グループの第１レベルのＲＢＧ  ｓｉｚｅを指示する場合、表２に示すとおりである。
【００６７】
【表２】
2021503827.tif 000014
【００６８】
好ましくは、上記活性化ＢＷＰメッセージはサブキャリア間隔と位置情報をさらに含む。
【００６９】
好ましくは、基地局が第２レベルのＲＢＧ  ｓｉｚｅを指示するための第６指示情報を送信し、リソース割り当て方式０に適用される。
【００７０】
好ましくは、上記第１指示情報、第２指示情報、および第６指示情報は、ＲＲＣメッセージによって送信される。
【００７１】
好ましくは、上記第１指示情報と第２指示情報は、異なるＲＲＣメッセージによって配置されて伝送されることができる。
【００７２】
Ｓ３０２において、基地局が、端末の業務特性、負荷状況、および端末の能力に基づいて、下りデータを伝送するための活性化ＢＷＰを選択し、このＢＷＰのテーブルの検索に基づいて、対応する第１レベルのＲＢＧ  ｓｉｚｅをインデックスし、リソース割り当て方法を特定し、また、データをマッピングし、第３指示情報と第４指示情報を特定する。
【００７３】
好ましくは、基地局は、選択された活性化ＢＷＰＢＷＰを指示するための第３指示情報を送信し、リソース割り当てを指示するための第４指示情報を送信する。ここで、異なる活性化ＢＷＰＢＷＰの上記第４指示情報に必要なビット数は固定値である。
【００７４】
例えば、第３指示情報は２ビットで四つの活性化ＢＷＰを指示し、例えば０１で切り替えおよび／または二番目の活性化ＢＷＰを使用することを指示し、対応して使用されるＲＢ数は１００であり、上記テーブルを検索することで、対応して使用されるＲＢＧ  ｓｉｚｅが４であることが分かる。同時に、第４指示情報で上記帯域幅での実際のリソース割り当て状況を指示し、リソース割り当て粒度は４個のＲＢである。
【００７５】
好ましくは、上記第４指示情報に必要なビット数は以下の式で特定される。
【００７６】
2021503827.tif 000015
（１）、または、
2021503827.tif 000016
（２）
【００７７】
ここで、Ｇは第１レベルのＲＢＧ  ｓｉｚｅで、
2021503827.tif 000017
はｉ個目の活性化ＢＷＰの帯域幅で、ｎは活性化ＢＷＰの数で、ｉおよびｎは整数で、Ｐは第２レベルのＲＢＧ  ｓｉｚｅであり、ＮＲリソース割り当て方式０に適用される。
【００７８】
2021503827.tif 000018
が１２以下である場合、上記第２レベルのＲＢＧ  ｓｉｚｅの値は１であり、
2021503827.tif 000019
がその他の値である場合、上記第２レベルのＲＢＧ  ｓｉｚｅの値は２である。
【００７９】
例えば、ＮＲリソース割り当て方式１を用いる場合、以下の式で第４指示情報に必要なビット数が特定され、四つの活性化ＢＷＰの帯域幅のそれぞれは、５０、１００、２５、２００個のＲＢに対応し、第１レベルのＲＢＧ  ｓｉｚｅをそれぞれインデックスした結果、Ｇが２、４、１、８であれば、以下の式で算出される最も大きいビット数は９ビットである。
【００８０】
2021503827.tif 000020
【００８１】
好ましくは、選択された活性化ＢＷＰのリソース割り当てがリソース割り当てドメインの全部を占めていない場合、シーケンスの高ビット位置にビット０を入れる。
【００８２】
好ましくは、異なる上記ＢＷＰ帯域幅において、上記第４指示情報に必要なビット数における有効ビットは近似する。
【００８３】
好ましくは、基地局は、端末の業務特性、端末の負荷状況、端末の能力状況、チャネル環境のうちの少なくとも一方の情報に基づいて、前記一部の活性化ＢＷＰを選択する。
【００８４】
Ｓ３０３において、第３指示情報と第４指示情報を含むＤＣＩメッセージと下りデータを送信する。
【００８５】
好ましくは、上記第３指示情報と第４指示情報は、下り制御ＤＣＩメッセージによって送信される。
【００８６】
Ｓ３０４において、ＵＥが、ＲＲＣとＤＣＩメッセージを受信し、第１指示情報と第３指示情報に基づいて下りデータで伝送される活性化ＢＷＰを特定し、第２指示情報のテーブルの検索に基づいて第１レベルのＲＢＧ  ｓｉｚｅを取得し、第６指示情報のテーブルの検索に基づいて第２レベルのＲＢＧ  ｓｉｚｅを取得し、第４指示情報と合せて下りデータを受信する。
【００８７】
例えば、ＵＥが、２種類の方法で第４指示情報に必要なビット数を特定し、四つの活性化ＢＷＰの帯域幅のそれぞれは５０、１００、２５、２００個のＲＢに対応し、第１レベルのＲＢＧ  ｓｉｚｅをそれぞれインデックスした結果、Ｇが２、４、１、８であり、第２レベルのＲＢＧ  ｓｉｚｅをそれぞれインデックスした結果、２、２、２、２であれば、式（１）で算出される最も大きいビット数は９ビットであり、式（２）で算出される最も大きいビット数は１３ビットである。すると、ＵＥはリソース割り当てドメインの９ビットと１３ビットでＤＣＩメッセージにブラインドテストを行い、ＣＲＣチェックが正しければ正確なリソース割り当て方式を特定し、例えばリソース割り当て方式１を用いる。第３指示情報は２ビットで四つの活性化ＢＷＰを指示し、例えば０１で切り替えおよび／または二番目の活性化ＢＷＰを使用することを指示し、使用されるのが二番目の活性化ＢＷＰであることを確認し、帯域幅は１００個のＲＢであり、第２指示情報によるテーブルの検索から第１レベルのＲＢＧ  ｓｉｚｅが４であること、すなわち、リソース割り当て粒度が４個のＲＢであることを取得し、この場合、ＵＥはリソース割り当て方式１、リソース割り当て粒度が４個のＲＢであること、および第４指示情報に基づいて、実際に下りデータを伝送するＲＢを特定し、データを受信する。
好適な実施例２
【００８８】
本好適な実施例において上りリソース割り当ての好適な実施例を提供し、図４に示すように、以下のステップＳ４０１、Ｓ４０２、Ｓ４０３、Ｓ４０４、Ｓ４０５を含む。
【００８９】
Ｓ４０１において、基地局が、第１指示情報と第２指示情報を含むＲＲＣメッセージをＵＥに送信する。
【００９０】
好ましくは、上記第１指示情報は活性化ＢＷＰメッセージを指示し、上記第２指示情報は１グループまたは複数グループの第１レベルのＲＢＧ  ｓｉｚｅを指示する。
好ましくは、上記活性化ＢＷＰメッセージは少なくともＢＷＰ帯域幅情報を含む。
【００９１】
例えば、第１指示情報が、端末に四つの活性化ＢＷＰがあることを指示し、四つの活性化ＢＷＰの帯域幅のそれぞれは、５０、１００、２５、２００個のＲＢに対応する。
【００９２】
好ましくは、上記１グループまたは複数グループのＲＢＧ  ｓｉｚｅの値のうち、各グループの第１レベルのＲＢＧ  ｓｉｚｅは複数の第１レベルのＲＢＧ  ｓｉｚｅを含み、第１レベルのＲＢＧ  ｓｉｚｅのそれぞれは異なるＢＷＰ帯域幅に対応する。
【００９３】
好ましくは、上記第１レベルのＲＢＧ  ｓｉｚｅと異なる上記ＢＷＰ帯域幅との対応関係は、第１レベルのＲＢＧ  ｓｉｚｅが数値１、２、３、４、６、８、１０、１１、１２、１６のうちの少なくとも１つを含み、第１レベルのＲＢＧ  ｓｉｚｅが１である場合、活性化ＢＷＰの帯域幅範囲は３１個以下のＲＢまたは２６個以下のＲＢまたは２２個以下のＲＢであり、第１レベルのＲＢＧ  ｓｉｚｅが２である場合、活性化ＢＷＰの帯域幅範囲は３２〜６２個のＲＢまたは２７〜６２個のＲＢまたは２３〜４４個のＲＢであり、第１レベルのＲＢＧ  ｓｉｚｅが３である場合、活性化ＢＷＰの帯域幅範囲は４５〜６６個のＲＢであり、第１レベルのＲＢＧ  ｓｉｚｅが４である場合、活性化ＢＷＰの帯域幅範囲は６３〜１２４個のＲＢまたは６７〜１３２個のＲＢであり、第１レベルのＲＢＧ  ｓｉｚｅが６である場合、活性化ＢＷＰの帯域幅範囲は１２５〜１７６個のＲＢまたは６７〜１３２個のＲＢであり、第１レベルのＲＢＧ  ｓｉｚｅが８である場合、活性化ＢＷＰの帯域幅範囲は１７７〜２４８個のＲＢまたは１２５〜２４８個のＲＢまたは１２５〜２２０個のＲＢまたは１２５〜２２７個のＲＢであり、第１レベルのＲＢＧ  ｓｉｚｅが１０である場合、活性化ＢＷＰの帯域幅範囲は２４９〜２７５個のＲＢまたは２２１〜２７５個のＲＢまたは２２８〜２７５個のＲＢであり、第１レベルのＲＢＧ  ｓｉｚｅが１１である場合、活性化ＢＷＰの帯域幅範囲は２４９〜２７５個のＲＢであり、第１レベルのＲＢＧ  ｓｉｚｅが１２である場合、活性化ＢＷＰの帯域幅範囲は１３３〜２４０個のＲＢであり、第１レベルのＲＢＧ  ｓｉｚｅが１６である場合、活性化ＢＷＰの帯域幅範囲は２４１〜２７５個のＲＢであることを含む。
【００９４】
例えば、１グループの第１レベルのＲＢＧ  ｓｉｚｅを指示する場合、表３に示すとおりである。
【００９５】
【表３】
2021503827.tif 000021
【００９６】
好ましくは、上記活性化ＢＷＰメッセージはサブキャリア間隔と位置情報をさらに含む。
【００９７】
好ましくは、基地局が、第２レベルのＲＢＧ  ｓｉｚｅを指示するための第６指示情報を送信し、リソース割り当て方式０に適用される。
【００９８】
好ましくは、上記第１指示情報、第２指示情報、および第６指示情報は、ＲＲＣメッセージによって送信される。
【００９９】
好ましくは、上記第１指示情報と第２指示情報は、異なるＲＲＣメッセージによって配置されて伝送されることができる。
【０１００】
Ｓ４０２において、基地局が、端末の業務特性、負荷状況、および端末の能力に基づいて、上りデータを受信するための活性化ＢＷＰを選択し、このＢＷＰのテーブルの検索に基づいて、対応する第１レベルのＲＢＧ  ｓｉｚｅをインデックスし、リソース割り当て方法を特定し、第３指示情報と第４指示情報を特定する。
【０１０１】
好ましくは、基地局は、選択された活性化ＢＷＰＢＷＰを指示するための第３指示情報を送信し、リソース割り当てを指示するための第４指示情報を送信する。ここで、異なる活性化ＢＷＰＢＷＰの上記第４指示情報に必要なビット数は固定値である。
【０１０２】
例えば、第３指示情報は２ビットで四つの活性化ＢＷＰを指示し、例えば０１で切り替えおよび／または二番目の活性化ＢＷＰを使用することを指示し、対応して使用されるＲＢ数は１００であり、上記テーブルを検索することで、対応して使用されるＲＢＧ  ｓｉｚｅが４であることが分かる。同時に、第４指示情報で上記帯域幅での実際のリソース割り当て状況を指示し、リソース割り当て粒度は４個のＲＢである。
【０１０３】
好ましくは、上記第４指示情報に必要なビット数は以下の式で特定される。
【０１０４】
2021503827.tif 000022
、または、
2021503827.tif 000023
【０１０５】
ここで、Ｇは第１レベルのＲＢＧ  ｓｉｚｅで、
2021503827.tif 000024
はｉ個目の活性化ＢＷＰの帯域幅で、ｎは活性化ＢＷＰの数で、ｉおよびｎは整数で、Ｐは第２レベルのＲＢＧ  ｓｉｚｅであり、ＮＲリソース割り当て方式０に適用される。
【０１０６】
2021503827.tif 000025
が１２以下である場合、上記第２レベルのＲＢＧ  ｓｉｚｅの値は１であり、
2021503827.tif 000026
がその他の値である場合、上記第２レベルのＲＢＧ  ｓｉｚｅの値は２である。
【０１０７】
例えば、ＮＲリソース割り当て方式１を用いる場合、以下の式で第４指示情報に必要なビット数が特定され、四つの活性化ＢＷＰの帯域幅のそれぞれは、５０、１００、２５、２００個のＲＢに対応し、第１レベルのＲＢＧ  ｓｉｚｅをそれぞれインデックスした結果、Ｇが２、４、１、８であれば、以下の式で算出される最も大きいビット数は９ビットである。
【０１０８】
2021503827.tif 000027
【０１０９】
好ましくは、選択された活性化ＢＷＰのリソース割り当てがリソース割り当てドメインの全部を占めていない場合、シーケンスの高ビット位置にビット０を入れる。
【０１１０】
好ましくは、異なる上記ＢＷＰ帯域幅において、上記第４指示情報に必要なビット数における有効ビットは近似する。
【０１１１】
好ましくは、基地局は、端末の業務特性、端末の負荷状況、端末の能力状況、チャネル環境のうちの少なくとも一方の情報に基づいて、前記一部の活性化ＢＷＰを選択する。
【０１１２】
Ｓ４０３において、第３指示情報と第４指示情報を含むＤＣＩメッセージを送信する。
【０１１３】
好ましくは、上記第３指示情報と第４指示情報は、ＤＣＩメッセージによって送信される。
【０１１４】
Ｓ４０４において、ＵＥが、ＲＲＣとＤＣＩメッセージを受信し、第１指示情報と第３指示情報に基づいて下りデータで伝送される活性化ＢＷＰを特定し、第２指示情報のテーブルの検索に基づいて第１レベルのＲＢＧ  ｓｉｚｅを取得し、第６指示情報のテーブルの検索に基づいて第２レベルのＲＢＧ  ｓｉｚｅを取得し、第４指示情報と合せて対応する上りサブフレームで上りデータを送信する。
【０１１５】
例えば、ＵＥが、２種類の方法で第４指示情報に必要なビット数を特定し、四つの活性化ＢＷＰの帯域幅のそれぞれは５０、１００、２５、２００個のＲＢに対応し、第１レベルのＲＢＧ  ｓｉｚｅをそれぞれインデックスした結果、Ｇが２、４、１、８であり、第２レベルのＲＢＧ  ｓｉｚｅをそれぞれインデックスした結果、２、２、２、２であれば、式（１）で算出される最も大きいビット数は９ビットであり、式（２）で算出される最も大きいビット数は１３ビットである。すると、ＵＥはリソース割り当てドメインの９ビットと１３ビットでＤＣＩメッセージにブラインドテストを行い、ＣＲＣチェックが正しければ正確なリソース割り当て方式を特定し、例えばリソース割り当て方式１を用いる。第３指示情報は２ビットで四つの活性化ＢＷＰを指示し、例えば０１で切り替えおよび／または二番目の活性化ＢＷＰを使用することを指示し、使用されるのが二番目の活性化ＢＷＰであることを確認し、帯域幅は１００個のＲＢであり、第２指示情報によるテーブルの検索から第１レベルのＲＢＧ  ｓｉｚｅが４であること、すなわち、リソース割り当て粒度が４個のＲＢであることを取得し、この場合、ＵＥはリソース割り当て方式１、リソース割り当て粒度が４個のＲＢであること、および第４指示情報に基づいて、実際に上りデータを伝送するＲＢを特定する。
【０１１６】
Ｓ４０５において、上りデータおよびＵＣＩメッセージを送信する。
【０１１７】
好適な実施例３
本好適な実施例において下りリソース割り当ての好適な実施例を提供し、図５に示すように、以下のステップＳ５０１、Ｓ５０２、Ｓ５０３、Ｓ５０４を含む。
【０１１８】
Ｓ５０１において、基地局が、ＲＲＣメッセージは、第１指示情報、第２指示情報、第５指示情報、および第６指示情報を含むＲＲＣメッセージをＵＥに送信する。
【０１１９】
好ましくは、上記第１指示情報は活性化ＢＷＰメッセージを指示し、上記第２指示情報は１グループまたは複数グループの第１レベルのＲＢＧ  ｓｉｚｅを指示する。
好ましくは、上記活性化ＢＷＰメッセージは少なくともＢＷＰ帯域幅情報を含む。
【０１２０】
例えば、第１指示情報が、端末に四つの活性化ＢＷＰがあることを指示し、四つの活性化ＢＷＰの帯域幅のそれぞれは、５０、１００、２５、２００個のＲＢに対応する。
【０１２１】
好ましくは、上記１グループまたは複数グループのＲＢＧ  ｓｉｚｅの値における各グループの第１レベルのＲＢＧ  ｓｉｚｅは複数の第１レベルのＲＢＧ  ｓｉｚｅを含み、第１レベルのＲＢＧ  ｓｉｚｅのそれぞれは異なるＢＷＰ帯域幅に対応する。
【０１２２】
好ましくは、上記第１レベルのＲＢＧ  ｓｉｚｅと異なる上記ＢＷＰ帯域幅との対応関係は、第１レベルのＲＢＧ  ｓｉｚｅが数値１、２、３、４、６、８、１０、１１、１２、１６のうちの少なくとも１つを含むことが含む。
【０１２３】
第１レベルのＲＢＧ  ｓｉｚｅが１である場合、活性化ＢＷＰの帯域幅範囲は３１個以下のＲＢまたは２６個以下のＲＢまたは２２個以下のＲＢであり、第１レベルのＲＢＧ  ｓｉｚｅが２である場合、活性化ＢＷＰの帯域幅範囲は３２〜６２個のＲＢまたは２７〜６２個のＲＢまたは２３〜４４個のＲＢであり、第１レベルのＲＢＧ  ｓｉｚｅが３である場合、活性化ＢＷＰの帯域幅範囲は４５〜６６個のＲＢであり、第１レベルのＲＢＧ  ｓｉｚｅが４である場合、活性化ＢＷＰの帯域幅範囲は６３〜１２４個のＲＢまたは６７〜１３２個のＲＢであり、第１レベルのＲＢＧ  ｓｉｚｅが６である場合、活性化ＢＷＰの帯域幅範囲は１２５〜１７６個のＲＢまたは６７〜１３２個のＲＢであり、第１レベルのＲＢＧ  ｓｉｚｅが８である場合、活性化ＢＷＰの帯域幅範囲は１７７〜２４８個のＲＢまたは１２５〜２４８個のＲＢまたは１２５〜２２０個のＲＢまたは１２５〜２２７個のＲＢであり、第１レベルのＲＢＧ  ｓｉｚｅが１０である場合、活性化ＢＷＰの帯域幅範囲は２４９〜２７５個のＲＢまたは２２１〜２７５個のＲＢまたは２２８〜２７５個のＲＢであり、第１レベルのＲＢＧ  ｓｉｚｅが１１である場合、活性化ＢＷＰの帯域幅範囲は２４９〜２７５個のＲＢであり、第１レベルのＲＢＧ  ｓｉｚｅが１２である場合、活性化ＢＷＰの帯域幅範囲は１３３〜２４０個のＲＢであり、第１レベルのＲＢＧ  ｓｉｚｅが１６である場合、活性化ＢＷＰの帯域幅範囲は２４１〜２７５個のＲＢである。
【０１２４】
例えば、２組の第１レベルのＲＢＧ  ｓｉｚｅを指示する場合、表４に示すとおりである。
【０１２５】
【表４】
2021503827.tif 000028
【０１２６】
好ましくは、上記活性化ＢＷＰメッセージはサブキャリア間隔と位置情報をさらに含む。
【０１２７】
好ましくは、基地局が、第２レベルのＲＢＧ  ｓｉｚｅを指示するための第６指示情報を送信し、リソース割り当て方式０に適用される。
【０１２８】
好ましくは、基地局が、１グループの第１レベルのＲＢＧ  ｓｉｚｅの選択を指示するための第５指示情報を送信し、例えば、１ビットで指示し、０でｃｏｎｆｉｇ１の選択を示し、１でｃｏｎｆｉｇ２の選択を示し、例えば０と配置することができる。
【０１２９】
好ましくは、上記第１指示情報、第２指示情報、および第６指示情報は、ＲＲＣメッセージによって送信される。
【０１３０】
好ましくは、上記第１指示情報と第２指示情報は、異なるＲＲＣメッセージによって配置されて伝送されることができる。
【０１３１】
Ｓ５０２において、基地局が、端末の業務特性、負荷状況および端末の能力に基づいて、下りデータを伝送するための活性化ＢＷＰを選択し、このＢＷＰのテーブルの検索に基づいて、対応する第１レベルのＲＢＧ  ｓｉｚｅをインデックスし、リソース割り当て方法を特定し、また、データをマッピングし、第３指示情報と第４指示情報を特定する。
【０１３２】
好ましくは、基地局は、選択された活性化ＢＷＰＢＷＰを指示するための第３指示情報を送信し、リソース割り当てを指示するための第４指示情報を送信する。ここで、異なる活性化ＢＷＰＢＷＰの上記第４指示情報に必要なビット数は固定値である。
【０１３３】
例えば、第３指示情報は２ビットで四つの活性化ＢＷＰを指示し、例えば０１で切り替えおよび／または二番目の活性化ＢＷＰを使用することを指示し、対応して使用されるＲＢ数は１００であり、上記テーブルを検索すると、対応して使用されるＲＢＧ  ｓｉｚｅが４であることが分かる。同時に、第４指示情報で上記帯域幅での実際のリソース割り当て状況を指示し、リソース割り当て粒度は４個のＲＢである。
【０１３４】
好ましくは、上記第４指示情報に必要なビット数は以下の式で特定される。
【０１３５】
2021503827.tif 000029
、または、
2021503827.tif 000030
【０１３６】
ここで、Ｇは第１レベルのＲＢＧ  ｓｉｚｅで、
2021503827.tif 000031
はｉ個目の活性化ＢＷＰの帯域幅で、ｎは活性化ＢＷＰの数で、ｉおよびｎは整数で、Ｐは第２レベルのＲＢＧ  ｓｉｚｅであり、ＮＲリソース割り当て方式０に適用される。
【０１３７】
2021503827.tif 000032
が１２以下である場合、上記第２レベルのＲＢＧ  ｓｉｚｅの値は１であり、
2021503827.tif 000033
がその他の値である場合、上記第２レベルのＲＢＧ  ｓｉｚｅの値は２である。
【０１３８】
例えば、ＮＲリソース割り当て方式１を用いる場合、以下の式で第４指示情報に必要なビット数が特定され、四つの活性化ＢＷＰの帯域幅のそれぞれは、５０、１００、２５、２００個のＲＢに対応し、第１レベルのＲＢＧ  ｓｉｚｅをそれぞれインデックスした結果、Ｇが２、４、１、８であれば、以下の式で算出される最も大きいビット数は９ビットである。
2021503827.tif 000034
【０１３９】
好ましくは、選択された活性化ＢＷＰのリソース割り当てがリソース割り当てドメインの全部を占めていない場合、シーケンスの高ビット位置にビット０を入れる。
【０１４０】
好ましくは、異なる上記ＢＷＰ帯域幅において、上記第４指示情報に必要なビット数における有効ビットは近似する。
【０１４１】
好ましくは、基地局は、端末の業務特性、端末の負荷状況、端末の能力状況、チャネル環境のうちの少なくとも一方の情報に基づいて、前記一部の活性化ＢＷＰを選択する。
【０１４２】
Ｓ５０３において、第３指示情報と第４指示情報を含むＤＣＩメッセージと下りデータを送信する。
【０１４３】
好ましくは、上記第３指示情報と第４指示情報は、ＤＣＩメッセージによって送信される。
【０１４４】
Ｓ５０４において、ＵＥが、ＲＲＣとＤＣＩメッセージを受信し、第１指示情報と第３指示情報に基づいて下りデータで伝送される活性化ＢＷＰを特定し、第２指示情報と第５指示情報のテーブルの検索に基づいて第１レベルのＲＢＧ  ｓｉｚｅを取得し、第６指示情報のテーブルの検索に基づいて第２レベルのＲＢＧ  ｓｉｚｅを取得し、第４指示情報と合せて下りデータを受信する。
【０１４５】
例えば、ＵＥが、２種類の方法で第４指示情報に必要なビット数を特定し、四つの活性化ＢＷＰの帯域幅のそれぞれは５０、１００、２５、２００個のＲＢに対応し、第５指示情報に基づいて、第１レベルのＲＢＧ  ｓｉｚｅをそれぞれインデックスした結果、Ｇが２、４、１、８であり、第２レベルのＲＢＧ  ｓｉｚｅをそれぞれインデックスした結果、２、２、２、２であれば、式（１）で算出される最も大きいビット数は９ビットであり、式（２）で算出される最も大きいビット数は１３ビットである。すると、ＵＥはリソース割り当てドメインの９ビットと１３ビットでＤＣＩメッセージにブラインドテストを行い、ＣＲＣチェックが正しければ正確なリソース割り当て方式を特定し、例えばリソース割り当て方式１を用いる。第３指示情報は２ビットで四つの活性化ＢＷＰを指示し、例えば０１で切り替えおよび／または二番目の活性化ＢＷＰを使用することを指示し、使用されるのが二番目の活性化ＢＷＰであることを確認し、帯域幅は１００個のＲＢであり、第２指示情報によるテーブルの検索から第１レベルのＲＢＧ  ｓｉｚｅが４であること、すなわち、リソース割り当て粒度が４個のＲＢであることを取得し、この場合、ＵＥはリソース割り当て方式１、リソース割り当て粒度が４個のＲＢであること、および第４指示情報に基づいて、実際に下りデータを伝送するＲＢを特定し、データを受信する。
【０１４６】
以上の実施形態の説明によると、上記実施例の方法をソフトウェアに必要な汎用ハードウェアプラットフォームを組合せた方式で実現することができ、ハードウェアによって実現することもできるが、前者の方法で実施することが好ましい場合が多いことを、当業者は明確に理解できる。これに基づいて、本発明の技術案の本質または従来技術に貢献のある部分をソフトウェア製品の形態で実現することができ、そのコンピューターソフトウェア製品は、記憶媒体（例えば、ＲＯＭ/ＲＡＭ、磁気ディスク、ＣＤ）に記憶され、端末機器（携帯電話、コンピューター、サーバまたはネットワーク機器等であることができる）に本発明の各実施例に記載の方法を実現させるためのいくつかの命令を含む。
【０１４７】
本実施例においてリソース割り当て指示装置をさらに提供し、この装置は上記実施例および好適な実施形態を実現するためのものであり、すでに説明した部分の説明は省略する。以下の説明で用いられる用語「モジュール」は所定の機能を実現可能なソフトウェアおよび/またはハードウェアの組み合わせである。以下の実施例で説明する装置をソフトウェアで実現することが好ましいが、ハードウェアまたはソフトウェアとハードウェアの組み合わせによって実現することも可能である。
【０１４８】
図６は本発明の実施例に係るリソース割り当て指示装置の構造を示すブロック図で、図６に示すように、この装置は、第１送信モジュール６２と、第２送信モジュール６４とを含む。
【０１４９】
第１送信モジュール６２は、活性化ＢＷＰメッセージを指示するための第１指示情報を送信するように構成され、ここで、前記活性化ＢＷＰメッセージは少なくともＢＷＰ帯域幅情報を含む。
【０１５０】
第２送信モジュール６４は、１グループまたは複数グループの第１レベルのＲＢＧ  ｓｉｚｅを指示するための第２指示情報を送信するように構成され、ここで、各グループの第１レベルのＲＢＧ  ｓｉｚｅは複数の第１レベルのＲＢＧ  ｓｉｚｅを含み、第１レベルのＲＢＧ  ｓｉｚｅのそれぞれは異なるＢＷＰ帯域幅に対応する。前記第１レベルのＲＢＧ  ｓｉｚｅと異なる前記ＢＷＰ帯域幅との間には対応関係が存在する。
【０１５１】
図６に示す装置によって、帯域幅範囲とＲＢＧ  ｓｉｚｅの値との間の対応関係を設定することで、異なる帯域幅のリソース割り当てドメインにおける有効ビットが近似するように確保し、既存技術において異なる帯域幅のＢＷＰが異なるサイズのリソース割り当てドメインを用いることによるＤＣＩブラインドテストの複雑性が高い問題を解決し、ＤＣＩメッセージのブラインドテストの複雑性を低減する技術効果を実現する。
【０１５２】
好ましくは、上記対応関係は、当該第１レベルのＲＢＧ  ｓｉｚｅの値が当該ＢＷＰ帯域幅範囲と正比例することを含む。
【０１５３】
好ましくは、上記対応関係は、当該第１レベルのＲＢＧ  ｓｉｚｅの値が１、２、３、４、６、８、１０、１１、１２、１６のうちの少なくとも１つを含み、当該第１レベルのＲＢＧ  ｓｉｚｅが１である場合、活性化ＢＷＰの帯域幅範囲は３１、２６、２２のうちの１つの数値以下のＲＢであり、当該第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、当該第１レベルのＲＢＧ  ｓｉｚｅが３である場合、活性化ＢＷＰの帯域幅範囲は４５〜６６個のＲＢであり、当該第１レベルのＲＢＧ  ｓｉｚｅが４である場合、活性化ＢＷＰの帯域幅範囲は６３〜１２４個のＲＢであり、または６７〜１３２個のＲＢであり、当該第１レベルのＲＢＧ  ｓｉｚｅが６である場合、活性化ＢＷＰの帯域幅範囲は１２５〜１７６個のＲＢであり、または６７〜１３２個のＲＢであり、当該第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、当該第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、当該第１レベルのＲＢＧ  ｓｉｚｅが１１である場合、活性化ＢＷＰの帯域幅範囲は２４９〜２７５個のＲＢであり、当該第１レベルのＲＢＧ  ｓｉｚｅが１２である場合、活性化ＢＷＰの帯域幅範囲は１３３〜２４０個のＲＢであり、当該第１レベルのＲＢＧ  ｓｉｚｅが１６である場合、活性化ＢＷＰの帯域幅範囲は２４１〜２７５個のＲＢであることを含む。
【０１５４】
好ましくは、上記装置は、第３指示情報を送信するように構成される第３送信モジュールをさらに含み、ここで、当該第３指示情報は当該活性化ＢＷＰから一部の活性化ＢＷＰを選択することを指示するためのものである。第３送信モジュールは、さらに、第４指示情報を送信するように構成され、ここで、当該第４指示情報はリソース割り当てを指示するためのもので。ここで、異なる活性化ＢＷＰの当該第４指示情報に必要なビット数は固定値である。
【０１５５】
好ましくは、上記装置は、第５指示情報を送信するように構成される第４送信モジュールをさらに含み、ここで、当該第５指示情報は第２レベルのＲＢＧ  ｓｉｚｅを指示するためのものである。
【０１５６】
好ましくは、当該第４指示情報に必要なビット数は以下の式で特定される。
【０１５７】
2021503827.tif 000035
、または、
2021503827.tif 000036
【０１５８】
ここで、Ｇは第１レベルのＲＢＧ  ｓｉｚｅで、
2021503827.tif 000037
はｉ個目の活性化ＢＷＰの帯域幅で、ｎは活性化ＢＷＰの数で、ｉおよびｎは整数で、Ｐは第２レベルのＲＢＧ  ｓｉｚｅである。
【０１５９】
2021503827.tif 000038
が１２以下である場合、当該第２レベルのＲＢＧ  ｓｉｚｅの値は１であり、
2021503827.tif 000039
が１２以外の他の値である場合、当該第２レベルのＲＢＧ  ｓｉｚｅの値は２である。
【０１６０】
好ましくは、上記装置は、第６指示情報を送信するように構成される第５送信モジュールをさらに含み、ここで、当該第６指示情報は複数グループのＲＢＧ  ｓｉｚｅのうちの１グループのＲＢＧ  ｓｉｚｅを選択することを指示するためのものであり、複数グループのＲＢＧ  ｓｉｚｅは異なるリソース割り当て粒度を示す。
【０１６１】
好ましくは、異なる当該ＢＷＰ帯域幅において、当該第４指示情報に必要なビット数における有効ビットは近似する。
【０１６２】
好ましくは、上記装置は、端末の業務特性、端末の負荷状況、端末の能力状況、チャネル環境のうちの少なくとも一方の情報に基づいて、当該一部の活性化ＢＷＰを選択するように構成される選択モジュールをさらに含む。
【０１６３】
好ましくは、上記第１指示情報、当該第２指示情報、当該第５指示情報および第６指示情報のうちの少なくとも一方の情報がＲＲＣメッセージによって送信される。
【０１６４】
好ましくは、上記第３指示情報および／または当該第４指示情報は、ＤＣＩメッセージによって送信される。
【０１６５】
本実施例において、リソース割り当て指示受信装置をさらに提供し、図７に示すように、当該装置は、第１受信モジュール７２と、第２受信モジュール７４とを含む。
【０１６６】
第１受信モジュール７２は、基地局から送信された第１指示情報を受信するように構成され、ここで、前記第１指示情報は活性化ＢＷＰメッセージを指示するためのものであり、前記活性化ＢＷＰメッセージは少なくともＢＷＰ帯域幅情報を含む。
【０１６７】
第２受信モジュール７４は、前記基地局から送信された第２指示情報を受信するように構成され、ここで、前記第２指示情報は１グループまたは複数グループの第１レベルのＲＢＧ  ｓｉｚｅを指示するためのものであり、各グループの第１レベルのＲＢＧ  ｓｉｚｅは複数の第１レベルのＲＢＧ  ｓｉｚｅを含み、第１レベルのＲＢＧ  ｓｉｚｅのそれぞれは異なるＢＷＰ帯域幅に対応する。ここで、当該第１レベルのＲＢＧ  ｓｉｚｅと異なる当該ＢＷＰ帯域幅との間には対応関係が存在する。
【０１６８】
図７に示す装置によって、基地局から送信された帯域幅範囲とＲＢＧ  ｓｉｚｅの値との間の対応関係を受信することで、異なる帯域幅のリソース割り当てドメインにおける有効ビットが近似するように確保して、既存技術において異なる帯域幅のＢＷＰが異なるサイズのリソース割り当てドメインを用いることによるＤＣＩブラインドテストの複雑性が高い問題を解決し、ＤＣＩメッセージのブラインドテストの複雑性を低減する技術効果を実現する。
【０１６９】
好ましくは、当該対応関係は、当該第１レベルのＲＢＧ  ｓｉｚｅの値が当該ＢＷＰ帯域幅範囲と正比例することを含む。
【０１７０】
好ましくは、当該対応関係は、当該第１レベルのＲＢＧ  ｓｉｚｅの値が１、２、３、４、６、８、１０、１１、１２、１６のうちの少なくとも１つを含み、当該第１レベルのＲＢＧ  ｓｉｚｅが１である場合、活性化ＢＷＰの帯域幅範囲は３１、２６、２２のうちの１つの数値以下のＲＢであり、当該第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、当該第１レベルのＲＢＧ  ｓｉｚｅが３である場合、活性化ＢＷＰの帯域幅範囲は４５〜６６個のＲＢであり、当該第１レベルのＲＢＧ  ｓｉｚｅが４である場合、活性化ＢＷＰの帯域幅範囲は６３〜１２４個のＲＢであり、または６７〜１３２個のＲＢであり、当該第１レベルのＲＢＧ  ｓｉｚｅが６である場合、活性化ＢＷＰの帯域幅範囲は１２５〜１７６個のＲＢであり、または６７〜１３２個のＲＢであり、当該第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、当該第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、当該第１レベルのＲＢＧ  ｓｉｚｅが１１である場合、活性化ＢＷＰの帯域幅範囲は２４９〜２７５個のＲＢであり、当該第１レベルのＲＢＧ  ｓｉｚｅが１２である場合、活性化ＢＷＰの帯域幅範囲は１３３〜２４０個のＲＢであり、当該第１レベルのＲＢＧ  ｓｉｚｅが１６である場合、活性化ＢＷＰの帯域幅範囲は２４１〜２７５個のＲＢであることを含む。
【０１７１】
好ましくは、上記装置は、当該基地局から送信された第３指示情報を受信するように構成される第３受信モジュールをさらに含み、当該第３指示情報は当該活性化ＢＷＰから一部の活性化ＢＷＰを選択することを指示するためのものであり、第３受信モジュールはさらに当該基地局から送信された第４指示情報を受信するように構成され、当該第４指示情報はリソース割り当てを指示するためのものである。ここで、異なる活性化ＢＷＰの当該第４指示情報に必要なビット数は固定値である。
【０１７２】
好ましくは、当該装置は、当該基地局から送信された第５指示情報を受信するように構成される第４受信モジュールをさらに含み、当該第５指示情報は第２レベルのＲＢＧ  ｓｉｚｅを指示するためのものである。
好ましくは、当該第４指示情報に必要なビット数は以下の式で特定される。
2021503827.tif 000040
、または、
2021503827.tif 000041
【０１７３】
ここで、Ｇは第１レベルのＲＢＧ  ｓｉｚｅで、
2021503827.tif 000042
はｉ個目の活性化ＢＷＰの帯域幅で、ｎは活性化ＢＷＰの数で、ｉおよびｎは整数で、Ｐは第２レベルのＲＢＧ  ｓｉｚｅである。
【０１７４】
2021503827.tif 000043
が１２以下である場合、上記第２レベルのＲＢＧ  ｓｉｚｅの値は１であり、
2021503827.tif 000044
が１２以外の他の値である場合、上記第２レベルのＲＢＧ  ｓｉｚｅの値は２である。
【０１７５】
好ましくは、上記装置は、当該基地局から送信された第６指示情報を受信するように構成される第５受信モジュールをさらに含み、ここで、当該第６指示情報は複数グループのＲＢＧ  ｓｉｚｅのうちの１グループのＲＢＧ  ｓｉｚｅを選択することを指示するためのものである。ここで、複数グループのＲＢＧ  ｓｉｚｅは異なるリソース割り当て粒度を示す。
【０１７６】
好ましくは、異なる当該ＢＷＰ帯域幅において、当該第４指示情報に必要なビット数における有効ビットは近似する。
【０１７７】
なお、上記各モジュールは、ソフトウェアまたはハードウェアで実現されることができ、ハードウェアで実現される場合、上記モジュールの各モジュールを同一のプロセッサに位置させることができ、または、上記各モジュールを任意の組み合わせの形態で異なるプロセッサに位置させることもできるが、これらに限定されることはない。
【０１７８】
本願の実施例において記憶媒体を提供し、当該記憶媒体は記憶されたプログラムを含み、ここで、上記プログラムが実行されると、上述したいずれかの方法が実行される。
【０１７９】
好ましくは、本実施例において、上記記憶媒体は、ＵＳＢ、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、モバイルハードディスク、磁気ディスク、または光ディスク等のプログラムコードを記憶可能なさまざまな媒体であるが、これらに限定されることはない。
【０１８０】
本願の実施例において、プログラムを実行するためのプロセッサをさらに提供し、当該プログラムが実行されると、上記いずれかの方法におけるステップが実行される。
【０１８１】
好ましくは、本実施例の具体的な実例については上記実施例および好適な実施形態で説明した実例を参照することができ、本実施例においては詳細な説明を省略する。
【０１８２】
本願の実施例において、プロセッサと前記プロセッサが実行可能な命令が記憶されたメモリとを含む基地局をさらに提供し、前記命令がプロセッサによって実行されると、本願の実施例に記載の基地局に適用されるいずれかの方法のステップが実行される。
【０１８３】
本願の実施例において、プロセッサと前記プロセッサが実行可能な命令が記憶されたメモリとを含む端末をさらに提供し、前記命令がプロセッサによって実行されると、本願の実施例に記載の端末に適用されるいずれかの方法のステップが実行される。
【０１８４】
上述した本願の各モジュールまたは各ステップを汎用の計算装置によって実現することができ、１つの計算装置に集中させることができ、または複数の計算装置からなるネットワークに分布させることもでき、好ましくは、計算装置が実行可能なプログラムコードによって実現することで、それを記憶装置に記憶して計算装置に実行させることもでき、場合によっては、図面に示すステップまたは説明されたステップをここで説明された順と異なる順で実行することもでき、または各集積回路モジュールにそれぞれ制作し、またはその中の複数のモジュールまたはステップを１つの集積回路モジュールとして実現することができることを当業者は理解できる。このように、本発明は特定のハードウェアとソフトウェアの組合せに限定されない。
【０１８５】
以上は、本願の好適な実施例に過ぎず、本発明を限定するものではなく、当業者であれば本願にさまざまな修正や変形が可能である。本願の原則内での全ての修正、同等置換、改良などはいずれも本願の保護範囲内に含まれる。
【図１】
2021503827.tif 000055
【図２】
2021503827.tif 000056
【図３】
2021503827.tif 000057
【図４】
2021503827.tif 000058
【図５】
2021503827.tif 000059
【図６】
2021503827.tif 000060
【図７】
2021503827.tif 000061
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
基地局が、少なくとも部分帯域幅ＢＷＰ帯域幅情報を含む活性化ＢＷＰメッセージを指示するための第１指示情報を送信することと、
前記基地局が、異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を送信することと、を含み、
前記第１レベルのＲＢＧ  ｓｉｚｅと異なる前記ＢＷＰ帯域幅との間には対応関係が存在する、リソース割り当て指示方法。
【請求項２】
前記対応関係は、前記第１レベルのＲＢＧ  ｓｉｚｅの値が前記ＢＷＰ帯域幅範囲と正比例することを含む、請求項１に記載の方法。
【請求項３】
前記対応関係は、
前記第１レベルのＲＢＧ  ｓｉｚｅの値が、１、２、３、４、６、８、１０、１１、１２、１６のうちの少なくとも１つを含み、
前記第１レベルのＲＢＧ  ｓｉｚｅが１である場合、活性化ＢＷＰの帯域幅範囲は３１、２６、２２のうちの１つの数値以下のリソースブロックＲＢであり、
前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、
前記第１レベルのＲＢＧ  ｓｉｚｅが３である場合、活性化ＢＷＰの帯域幅範囲は４５〜６６個のＲＢであり、
前記第１レベルのＲＢＧ  ｓｉｚｅが４である場合、活性化ＢＷＰの帯域幅範囲は６３〜１２４個のＲＢであり、または６７〜１３２個のＲＢであり、
前記第１レベルのＲＢＧ  ｓｉｚｅが６である場合、活性化ＢＷＰの帯域幅範囲は１２５〜１７６個のＲＢであり、または６７〜１３２個のＲＢであり、
前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、
前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、
前記第１レベルのＲＢＧ  ｓｉｚｅが１１である場合、活性化ＢＷＰの帯域幅範囲は２４９〜２７５個のＲＢであり、
前記第１レベルのＲＢＧ  ｓｉｚｅが１２である場合、活性化ＢＷＰの帯域幅範囲は１３３〜２４０個のＲＢであり、
前記第１レベルのＲＢＧ  ｓｉｚｅが１６である場合、活性化ＢＷＰの帯域幅範囲は２４１〜２７５個のＲＢであることを含む、請求項１に記載の方法。
【請求項４】
前記基地局が、前記活性化ＢＷＰから一部の活性化ＢＷＰを選択することを指示するための第３指示情報を送信することと、
前記基地局が、リソース割り当てを指示するための第４指示情報を送信することと、をさらに含み、
異なる活性化ＢＷＰの前記第４指示情報に必要なビット数は固定値である、請求項１に記載の方法。
【請求項５】
前記基地局が、第２レベルのＲＢＧ  ｓｉｚｅを指示するための第５指示情報を送信することをさらに含む、請求項１に記載の方法。
【請求項６】
前記第４指示情報に必要なビット数は、
2021503827.tif 000062
、または、
2021503827.tif 000063
で特定される、請求項４に記載の方法。
（Ｇは第１レベルのＲＢＧ  ｓｉｚｅで、
2021503827.tif 000064
はｉ個目の活性化ＢＷＰの帯域幅で、ｎは活性化ＢＷＰの数で、ｉおよびｎは整数で、Ｐは第２レベルのＲＢＧ  ｓｉｚｅであり、
2021503827.tif 000065
が１２以下である場合、前記第２レベルのＲＢＧ  ｓｉｚｅの値は１であり、
2021503827.tif 000066
が１２より大きい値である場合、前記第２レベルのＲＢＧ  ｓｉｚｅの値は２である。）
【請求項７】
前記基地局が、異なるリソース割り当て粒度を示す複数グループのＲＢＧ  ｓｉｚｅのうちの１グループのＲＢＧ  ｓｉｚｅの選択を指示するための第６指示情報を送信することをさらに含む、請求項１に記載の方法。
【請求項８】
異なる前記ＢＷＰ帯域幅において、前記第４指示情報に必要なビット数における有効ビットは近似する、請求項１または４に記載の方法。
【請求項９】
前記基地局は、端末の業務特性、端末の負荷状況、端末の能力状況、チャネル環境のうちの少なくとも一方の情報に基づいて、前記一部の活性化ＢＷＰを選択する、請求項４に記載の方法。
【請求項１０】
前記基地局は、無線リソース制御ＲＲＣメッセージによって、前記第１指示情報、前記第２指示情報、前記第５指示情報、第６指示情報のうちの少なくとも一方の情報を送信する、請求項１、５または７に記載の方法。
【請求項１１】
前記基地局は、下り制御情報ＤＣＩメッセージによって、前記第３指示情報および／または前記第４指示情報を送信する請求項４に記載の方法。
【請求項１２】
端末が、基地局から送信された情報であって、少なくとも部分帯域幅ＢＷＰ帯域幅情報を含む活性化ＢＷＰメッセージを指示するための第１指示情報を受信することと、
前記端末が、前記基地局から送信された情報であって、異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を受信することと、を含み、
前記第１レベルのＲＢＧ  ｓｉｚｅと異なる前記ＢＷＰ帯域幅との間には対応関係が存在する、リソース割り当て指示受信方法。
【請求項１３】
前記対応関係は、前記第１レベルのＲＢＧ  ｓｉｚｅの値が前記ＢＷＰ帯域幅範囲と正比例することを含む、請求項１２に記載の方法。
【請求項１４】
前記対応関係は、前記第１レベルのＲＢＧ  ｓｉｚｅの値が、１、２、３、４、６、８、１０、１１、１２、１６のうちの少なくとも１つを含み、
前記第１レベルのＲＢＧ  ｓｉｚｅが１である場合、活性化ＢＷＰの帯域幅範囲は３１、２６、２２のうちの１つの数値以下のリソースブロックＲＢであり、
前記第１レベルのＲＢＧ  ｓｉｚｅが２である場合、活性化ＢＷＰの帯域幅範囲は３２〜６２個のＲＢであり、または２７〜６２個のＲＢであり、または２３〜４４個のＲＢであり、
前記第１レベルのＲＢＧ  ｓｉｚｅが３である場合、活性化ＢＷＰの帯域幅範囲は４５〜６６個のＲＢであり、
前記第１レベルのＲＢＧ  ｓｉｚｅが４である場合、活性化ＢＷＰの帯域幅範囲は６３〜１２４個のＲＢであり、または６７〜１３２個のＲＢであり、
前記第１レベルのＲＢＧ  ｓｉｚｅが６である場合、活性化ＢＷＰの帯域幅範囲は１２５〜１７６個のＲＢであり、または６７〜１３２個のＲＢであり、
前記第１レベルのＲＢＧ  ｓｉｚｅが８である場合、活性化ＢＷＰの帯域幅範囲は１７７〜２４８個のＲＢであり、または１２５〜２４８個のＲＢであり、または１２５〜２２０個のＲＢであり、または１２５〜２２７個のＲＢであり、
前記第１レベルのＲＢＧ  ｓｉｚｅが１０である場合、活性化ＢＷＰの帯域幅範囲は２４９〜２７５個のＲＢであり、または２２１〜２７５個のＲＢであり、または２２８〜２７５個のＲＢであり、
前記第１レベルのＲＢＧ  ｓｉｚｅが１１である場合、活性化ＢＷＰの帯域幅範囲は２４９〜２７５個のＲＢであり、
前記第１レベルのＲＢＧ  ｓｉｚｅが１２である場合、活性化ＢＷＰの帯域幅範囲は１３３〜２４０個のＲＢであり、
前記第１レベルのＲＢＧ  ｓｉｚｅが１６である場合、活性化ＢＷＰの帯域幅範囲は２４１〜２７５個のＲＢであることを含む、請求項１２に記載の方法。
【請求項１５】
前記端末が、前記基地局から送信された情報であって、前記活性化ＢＷＰから一部の活性化ＢＷＰを選択することを指示するための第３指示情報を受信することと、
前記端末が、前記基地局から送信された情報であって、リソース割り当てを指示するための、第４指示情報（異なる活性化ＢＷＰの前記第４指示情報に必要なビット数は固定値である）を受信することと、をさらに含むか、または、
前記端末が、前記基地局から送信された情報であって、第２レベルのＲＢＧ  ｓｉｚｅを指示するための第５指示情報を受信することをさらに含む、請求項１２に記載の方法。
【請求項１６】
前記第４指示情報に必要なビット数は、
2021503827.tif 000067
、または、
2021503827.tif 000068
で特定される、請求項１５に記載の方法。
（Ｇは第１レベルのＲＢＧ  ｓｉｚｅで、
2021503827.tif 000069
はｉ個目の活性化ＢＷＰの帯域幅で、ｎは活性化ＢＷＰの数で、ｉおよびｎは整数で、Ｐは第２レベルのＲＢＧ  ｓｉｚｅであり、
2021503827.tif 000070
が１２以下である場合、前記第２レベルのＲＢＧ  ｓｉｚｅの値は１であり、
2021503827.tif 000071
が１２より大きい値である場合、前記第２レベルのＲＢＧ  ｓｉｚｅの値は２である。）
【請求項１７】
前記端末が、前記基地局から送信された情報であって、異なるリソース割り当て粒度を示す複数グループのＲＢＧ  ｓｉｚｅのうちの１グループのＲＢＧ  ｓｉｚｅの選択を指示するための第６指示情報を受信することをさらに含む、請求項１２に記載の方法。
【請求項１８】
異なる前記ＢＷＰ帯域幅において、前記第４指示情報に必要なビット数における有効ビットは近似する、請求項１２または１５に記載の方法。
【請求項１９】
基地局に応用されるリソース割り当て指示装置であって、
少なくとも部分帯域幅ＢＷＰ帯域幅情報を含む活性化ＢＷＰメッセージを指示するための第１指示情報を送信するように構成された第１送信モジュールと、
異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を送信するように構成された第２送信モジュールと、を備え、
前記第１レベルのＲＢＧ  ｓｉｚｅと異なる前記ＢＷＰ帯域幅との間には対応関係が存在する、リソース割り当て指示装置。
【請求項２０】
ユーザ機器ＵＥに応用されるリソース割り当て指示受信装置であって、
基地局から送信された情報であって、少なくとも部分帯域幅ＢＷＰ帯域幅情報を含む活性化ＢＷＰメッセージを指示するための第１指示情報を受信するように構成された第１受信モジュールと、
基地局から送信された情報であって、異なるＢＷＰ帯域幅にそれぞれ対応する複数の第１レベルのリソースブロックグループサイズＲＢＧ  ｓｉｚｅをグループ毎に含む１グループまたは複数グループの第１レベルのＲＢＧ  ｓｉｚｅを指示するための第２指示情報を受信するように構成された第２受信モジュールと、を備え、
前記第１レベルのＲＢＧ  ｓｉｚｅと異なる前記ＢＷＰ帯域幅との間には対応関係が存在する、リソース割り当て指示受信装置。
【手続補正２】
【補正対象書類名】明細書
【補正対象項目名】００１７
【補正方法】変更
【補正の内容】
【００１７】
2021503827.tif 000072
が１２以下である場合、前記第２レベルのＲＢＧ  ｓｉｚｅの値は１であり、
2021503827.tif 000073
が１２より大きい値である場合、前記第２レベルのＲＢＧ  ｓｉｚｅの値は２である。
【手続補正３】
【補正対象書類名】明細書
【補正対象項目名】００３０
【補正方法】変更
【補正の内容】
【００３０】
2021503827.tif 000074
が１２以下である場合、前記第２レベルのＲＢＧ  ｓｉｚｅの値は１であり、
2021503827.tif 000075
が１２より大きい値である場合、前記第２レベルのＲＢＧ  ｓｉｚｅの値は２である。
【手続補正４】
【補正対象書類名】明細書
【補正対象項目名】０１５９
【補正方法】変更
【補正の内容】
【０１５９】
2021503827.tif 000076
が１２以下である場合、当該第２レベルのＲＢＧ  ｓｉｚｅの値は１であり、
2021503827.tif 000077
が１２より大きい値である場合、当該第２レベルのＲＢＧ  ｓｉｚｅの値は２である。
【手続補正５】
【補正対象書類名】明細書
【補正対象項目名】０１７４
【補正方法】変更
【補正の内容】
【０１７４】
2021503827.tif 000078
が１２以下である場合、上記第２レベルのＲＢＧ  ｓｉｚｅの値は１であり、
2021503827.tif 000079
が１２より大きい値である場合、上記第２レベルのＲＢＧ  ｓｉｚｅの値は２である。
【国際調査報告】
2021503827.tif 000080
2021503827.tif 000081
2021503827.tif 000082
2021503827.tif 000083
2021503827.tif 000084
2021503827.tif 000085